(57)【要約】【課題】蓄電システムおよび蓄電システムの温度制御方法を提供することを目的とする。【解決手段】コンテナ１０内に設けられた複数の蓄電池モジュール２０と、コンテナ１０内部を冷却する空調ユニット１３と、冷却した空気を供給するスリット１５と、空気を排出する排気口２３とを備え、コンテナ１０はスリット１５から排気口２３までの間で２以上のエリアに区分され、各エリアには少なくとも１の蓄電池モジュール２０と、送風を行うファンと、温度検知手段とが設けられ、温度検知手段から得た温度に基づきエリアの平均温度を算出しファンの起動または停止を行う蓄電池モジュール監視制御装置１２と、各エリアの平均温度の温度差に基づき該エリアごとにファンの起動または停止を判断し、各蓄電池モジュール監視制御装置１２へファンの起動または停止の制御指令を発信するシステム監視制御装置１１とを備える蓄電システム１を提供する。【選択図】図１
2014203536.tif 000002
【特許請求の範囲】
【請求項１】
閉空間内に設けられた複数の蓄電池モジュールと、
複数の前記蓄電池モジュールにより温度が上昇した前記閉空間内部を冷却する冷却装置と、
前記冷却装置から前記閉空間へ冷却した空気を供給する吹き出し口と、
前記閉空間から前記冷却装置へ温度が上昇した空気を排出する排気口とを備え、
前記閉空間は前記吹き出し口から前記排気口までの間で２以上のエリアに区分され、
各前記エリアには、少なくとも１の前記蓄電池モジュールと、
前記エリア内の空気を前記蓄電池モジュールへと送風を行うファンと、
前記エリアの前記蓄電池モジュールの温度を検知する温度検知手段とが設けられ、
各前記エリアに対して設けられるとともに、前記温度検知手段から得た温度に基づき前記エリアの所定時間における平均温度を算出し、前記ファンの起動または停止を行う蓄電池モジュール監視制御装置と、
前記蓄電池モジュール監視制御装置が得た各前記エリアの前記平均温度の温度差に基づき該エリアごとに前記ファンの起動または停止を判断し、各前記蓄電池モジュール監視制御装置へ前記ファンの起動または停止の制御指令を発信するシステム監視制御装置と、
を備えていることを特徴とする蓄電システム。
【請求項２】
前記システム監視制御装置は、前記吹き出し口近傍の前記エリアの前記蓄電池モジュール監視制御装置へ前記ファンの起動または停止の制御指令を前記エリア以外より優先して行う請求項１に記載の蓄電システム。
【請求項３】
前記システム監視制御装置は、
前記吹き出し口近傍の前記エリアの所定時間における平均温度が全前記エリアの所定時間における平均温度の最小値であるとともに、
予め設定された第１所定温度を下回る場合、もしくは、
前記第１所定温度以上でかつ全前記エリアの所定時間における平均温度の最大値との温度差が第１の設定温度差より大きい場合に、
前記吹き出し口近傍の前記エリアの各前記ファンを停止させる請求項２に記載の蓄電システム。
【請求項４】
前記システム監視制御装置は、
前記吹き出し口近傍の前記エリアの所定時間における平均温度が全前記エリアの所定時間における平均温度の最大値であるとともに、
予め設定された第２所定温度を上回る場合、もしくは、
前記第２所定温度以下でかつ第３所定温度を上回りかつ全前記エリアの所定時間における平均温度の最小値との温度差が第２の設定温度差より小さい場合に、
前記吹き出し口近傍の前記エリアの各前記ファンを起動させる請求項２または３に記載の蓄電システム。
【請求項５】
閉空間内に設けられた複数の蓄電池モジュールと、
複数の前記蓄電池モジュールにより温度が上昇した前記閉空間内部を冷却する冷却装置と、
前記冷却装置から前記閉空間へ冷却した空気を供給する吹き出し口と、
前記閉空間から前記冷却装置へ温度が上昇した空気を排出する排気口とを備え、
前記閉空間は前記吹き出し口から前記排気口までの間で２以上のエリアに区分され、
各前記エリアには、少なくとも１の前記蓄電池モジュールと、
前記エリア内の空気を前記蓄電池モジュールへと送風を行うファンと、
前記エリアの前記蓄電池モジュールの温度を検知する温度検知手段とが設けられ、
各前記エリアに対して設けられるとともに、前記温度検知手段から得た温度に基づき前記エリアの所定時間における平均温度を算出し、前記ファンの起動または停止を行う蓄電池モジュール監視制御装置と、
前記蓄電池モジュール監視制御装置が得た各前記エリアの前記平均温度の温度差に基づき該エリアごとに前記ファンの起動または停止を判断し、前記ファンの起動または停止の制御を行うことを特徴とする蓄電システムの温度制御方法。
【発明の詳細な説明】
【技術分野】
【０００１】
本発明は、閉空間における蓄電システムおよび蓄電システムの温度制御方法に関するものである。
【背景技術】
【０００２】
大容量の電力を蓄電するためのシステムとして、例えば複数の蓄電池（二次電池）を筐体に収容したシステムが知られている。蓄電池は、充放電に伴い発熱する、特に放電時には発熱量が増加するため、例えば、特許文献１には、電池室内温度検知手段がラックの最上段、中段および最下段に設置され、いずれかの検知温度が設定値を超えるとファンが動作されることが開示されている。
また、前記筐体がコンテナである場合、閉空間となるため空調が必要となる。例えば、特許文献２には電動ファンとドライアイスを用いたコンテナ用空調補助システムが開示されている。
【先行技術文献】
【特許文献】
【０００３】
【特許文献１】特開２００５−２４３５８０号公報
【特許文献２】特開２０１２−１９２９４３号公報
【発明の概要】
【発明が解決しようとする課題】
【０００４】
しかしながら、上記特許文献１に開示された発明では、設置されたいずれかの温度検知手段の検知温度が設定値を超えるとすべてのファンが動作するため、効率が悪いという問題があった。また、個々の電池モジュールではなく閉空間の温度を検知しているため、特定の電池モジュールの過度な発熱に即応できないという問題があった。
また、上記特許文献２に開示された発明では、コンテナ内の温度管理を行っていないため、コンテナ内に温度のむらが発生しても対処できないため、個々の電池モジュールの特性の不均一が生じることで、全体システムでの容量低下を生じるという問題がある。
【０００５】
本発明は、このような事情に鑑みてなされたものであって、閉空間における蓄電システムおよび蓄電システムの温度制御方法を提供することを目的とする。
【課題を解決するための手段】
【０００６】
上記課題を解決するために、本発明の蓄電システムおよび蓄電システムの温度制御方法は以下の手段を採用する。
閉空間内に設けられた複数の蓄電池モジュールと、複数の前記蓄電池モジュールにより温度が上昇した前記閉空間内部を冷却する冷却装置と、前記冷却装置から前記閉空間へ冷却した空気を供給する吹き出し口と、前記閉空間から前記冷却装置へ温度が上昇した空気を排出する排気口とを備え、前記閉空間は前記吹き出し口から前記排気口までの間で２以上のエリアに区分され、各前記エリアには、少なくとも１の前記蓄電池モジュールと、前記エリア内の空気を前記蓄電池モジュールへと送風を行うファンと、前記エリアの前記蓄電池モジュールの温度を検知する温度検知手段とが設けられ、各前記エリアに対して設けられるとともに、前記温度検知手段から得た温度に基づき前記エリアの所定時間における平均温度を算出し、前記ファンの起動または停止を行う蓄電池モジュール監視制御装置と、前記蓄電池モジュール監視制御装置が得た各前記エリアの前記平均温度の温度差に基づき該エリアごとに前記ファンの起動または停止を判断し、各前記蓄電池モジュール監視制御装置へ前記ファンの起動または停止の制御指令を発信するシステム監視制御装置と、を備えていることを特徴とする蓄電システムを採用する。
【０００７】
本発明によれば、各エリアの所定時間における平均温度をもとにエリアごとに各ファンの起動または停止を制御することから、各エリア間で温度にむらが生じた場合にファンの起動または停止によりエリア間の温度差を低減することができる。これにより各蓄電池モジュールの温度差が低減することで各蓄電池モジュールの劣化を均等にでき、蓄電システムの性能低下が抑制できる。
また、エリアごとにファンの起動または停止を行うことから、効率の良い運転が可能である。また、簡便な構造で複雑な蓄電池モジュールの温度管理が可能となる。
また、各エリアの蓄電池モジュールの平均温度をもとに、エリアごとに各ファンの起動または停止を制御することから、エリアごとの温度傾向から温度を制御することができる。
【０００８】
上記発明において、前記システム監視制御装置は、前記吹き出し口近傍の前記エリアの前記蓄電池モジュール監視制御装置へ前記ファンの起動または停止の制御指令を前記エリア以外より優先して行うとしてもよい。
【０００９】
本発明によれば、吹き出し口近傍のエリアの各ファンの起動または停止を制御することから、吹き出し口近傍エリアのファンの起動または停止という簡便な処理で、各エリア間で発生する温度差を低減することができる。これにより、各蓄電池モジュールの温度差が低減することから各蓄電池モジュールの劣化を均等にできる。
【００１０】
上記発明において、前記システム監視制御装置は、前記吹き出し口近傍の前記エリアの所定時間における平均温度が全前記エリアの所定時間における平均温度の最小値であるとともに、予め設定された第１所定温度を下回る場合、もしくは、前記第１所定温度以上でかつ全前記エリアの所定時間における平均温度の最大値との温度差が第１の設定温度差より大きい場合に、前記吹き出し口近傍の前記エリアの各前記ファンを停止させるとしてもよい。
【００１１】
本発明によれば、吹き出し口近傍のエリアの所定時間における平均温度が全エリアの所定時間における平均温度の最小値であるとともに、第１所定温度を下回る場合、もしくは、第１所定温度以上でかつ全エリアの所定時間における平均温度の最大値を第１の設定温度差以上下回る場合、前記吹き出し口近傍のエリアのファンを停止させることから、最も温度が低い吹き出し口近傍のエリアの冷却が一時中断され、より温度が高いエリアへ冷風が供給され、温度のむらを低減できる。
【００１２】
上記発明において、前記システム監視制御装置は、前記吹き出し口近傍の前記エリアの所定時間における平均温度が全前記エリアの所定時間における平均温度の最大値であるとともに、予め設定された第２所定温度を上回る場合、もしくは、前記第２所定温度以下でかつ第３所定温度を上回りかつ全前記エリアの所定時間における平均温度の最小値との温度差が第２の設定温度差より小さい場合に、前記吹き出し口近傍の前記エリアの各前記ファンを起動させるとしてもよい。
【００１３】
本発明によれば、前記吹き出し口近傍のエリアの所定時間における平均温度が全エリアの所定時間における平均温度の最大値であるとともに、第２所定温度を上回る場合、もしくは、第２所定温度以下でかつ第３所定温度を上回りかつ全エリアの温度の最小値との温度差が第２の設定温度差より小さい場合、前記吹き出し口近傍のエリアのファンを起動させることから、ファンが停止して冷却されず最も温度が高い状態の吹き出し口近傍のエリアを冷却し、温度のむらを低減できる。
【００１４】
閉空間内に設けられた複数の蓄電池モジュールと、複数の前記蓄電池モジュールにより温度が上昇した前記閉空間内部を冷却する冷却装置と、前記冷却装置から前記閉空間へ冷却した空気を供給する吹き出し口と、前記閉空間から前記冷却装置へ温度が上昇した空気を排出する排気口とを備え、前記閉空間は前記吹き出し口から前記排気口までの間で２以上のエリアに区分され、各前記エリアには、少なくとも１の前記蓄電池モジュールと、前記エリア内の空気を前記蓄電池モジュールへと送風を行うファンと、前記エリアの前記蓄電池モジュールの温度を検知する温度検知手段とが設けられ、各前記エリアに対して設けられるとともに、前記温度検知手段から得た温度に基づき前記エリアの所定時間における平均温度を算出し、前記ファンの起動または停止を行う蓄電池モジュール監視制御装置と、前記蓄電池モジュール監視制御装置が得た各前記エリアの前記平均温度の温度差に基づき該エリアごとに前記ファンの起動または停止を判断し、前記ファンの起動または停止の制御を行うことを特徴とする蓄電システムの温度制御方法を採用する。
【００１５】
本発明によれば、各エリアの所定時間における平均温度をもとにエリアごとに各ファンの起動または停止を制御することから、各エリア間で温度にむらが生じた場合にファンの起動または停止によりエリア間の温度差を低減することができる。これにより各蓄電池モジュールの温度差が低減することで各蓄電池モジュールの劣化を均等にでき、蓄電システムの性能低下が抑制できる。
また、エリアごとにファンの起動または停止を行うことから、効率の良い運転が可能である。また、簡便な構造で複雑な蓄電池モジュールの温度管理が可能となる。
また、各エリアの蓄電池モジュールの平均温度をもとに、エリアごとに各ファンの起動または停止を制御することから、エリアごとの温度傾向から温度を制御することができる。
【発明の効果】
【００１６】
本発明によれば、各蓄電池モジュールのファンを制御し閉空間内の温度差を許容しきい値以内におさめるので、各蓄電池モジュールの温度差が低減し、蓄電池モジュール間の劣化の差を低減することができ、蓄電システムの性能低下を抑制することができる。
【図面の簡単な説明】
【００１７】
【図１】本発明の一実施形態にかかる閉空間に設置された蓄電システムを示した概略構成の斜視図である。
【図２】本発明の一実施形態にかかる閉空間に設置された蓄電システムの横から見た断面図である。
【図３】本発明の一実施形態にかかる閉空間に設置された蓄電システムの制御方式を示したブロック図である。
【図４】本発明の一実施形態にかかる閉空間に設置された蓄電システムのエリアごとの温度分布の例を示した概略図である。
【図５】本発明の一実施形態にかかる閉空間に設置された蓄電システムの制御フローを示したフローチャートである。
【図６】本発明の他の実施形態にかかる閉空間に設置された蓄電システムの横から見た断面図である。
【発明を実施するための形態】
【００１８】
以下に、本発明にかかる蓄電システムおよび蓄電システムの温度制御方法の一実施形態について、図面を参照して説明する。以下の説明において、前後上下左右の方向は、蓄電池を搭載する閉空間の前後上下左右の方向に一致させた図１に示す前後上下左右および図２に示す前後上下の方向を基準とする。
図１には、本実施形態にかかる蓄電システムおよび蓄電システムの温度制御方法の概略構成が斜視図にて示されている。
図１に示されるように、蓄電システム１は、コンテナ（閉空間）１０内にシステム監視制御装置１１と、蓄電池モジュール監視制御装置１２と、複数の蓄電池モジュール２０とを主な構成として備えている。蓄電池モジュール２０は、所定の電圧と蓄電容量を満たすよう１つ以上の蓄電池により構成されている。また、蓄電池モジュール２０の充放電による熱を冷却するために、空調ユニット（冷却装置）１３と給気ダクト１４が設置されている。
コンテナ１０内部には、複数の蓄電池モジュール２０が上下左右のマトリックス状に整列して設置されている。蓄電池モジュール２０の数は、数十〜数百個と要求される電圧等によって異なり、マトリックスの行および列も異なる。この複数の蓄電池モジュール２０の集合体を蓄電池モジュール群とする。
図２に示すように、蓄電池モジュール群の上方には、空調ユニット１３から吹き出される冷風を蓄電池モジュール群に供給する給気ダクト１４が蓄電池モジュール群の形状に合わせて設置されている。給気ダクト１４は蓄電池モジュール群に対して冷風を分配するヘッダであり、略均一に冷風が供給されるようにスリット（吹き出し口）１５が下向きに複数開いている。このスリット１５から冷風が供給されることで各蓄電池モジュール２０が冷却される。給気ダクト１４から供給された冷風の一部は、各蓄電池モジュール２０のファン２１によって空気の流れＲの方向、図１では後ろから前方向へ各蓄電池モジュール２０内を通過して、蓄電池モジュール２０内部が冷却される。
また給気ダクト１４のスリット１５から供給された冷風の一部は、各蓄電池モジュール２０内を通過しないまま、コンテナ１０内へ流出してコンテナ１０内の各部が冷却される。また、各蓄電池モジュール２０内を通過し温度が上昇した空気とコンテナ内部を通過して温度が上昇した空気は排気口２３を介し、空調ユニット１３へ戻り、再び冷却され、スリット１５から各蓄電池モジュール２０内とコンテナ１０内に供給されるよう、空気が循環する。
ここで、各蓄電池モジュール２０内とコンテナ１０内に供給される冷却された空気流量は、各蓄電池モジュール２０とコンテナ１０内の各部の発熱状況に応じて適宜配分されていて、例えば略５０％：５０％で冷却された空気流量が配分される。
空調ユニット１３は図１及び図２のようにコンテナ１０の内部に設置してもよいし、図６のようにコンテナ１０の外部に設置してもよい。また、図１及び図２では蓄電池モジュール２０の上方に設置しているが、コンテナ１０の内外を問わず、蓄電池モジュール２０の側面や下方に設置してもよい。また空調ユニット１３は、市販の空調ユニットを利用することが可能である。
また、本実施形態では給気ダクト１４は蓄電池モジュール２０の上方に設置しているが、蓄電池モジュール２０の側面や下方に設置してもよい。
【００１９】
図２には、本実施形態にかかる蓄電システムおよび蓄電システムの温度制御方法の横から見た断面図が示されている。
各蓄電池モジュール２０は、空調ユニット１３で冷却された空気を供給する給気ダクト１４の冷風吹き出し口であるスリット１５の近傍から順に、少なくとも２以上のエリアに区分される。本実施形態では、給気ダクト１４のスリット１５が蓄電池モジュール群の上方に設置され、冷風は上から下の方向へと流れる。各蓄電池モジュール２０は上下方向に８個、すなわち８段に整列して設置されていることから、スリット１５の近傍、すなわち上から１〜２段目をエリアＡ、３〜５段目をエリアＢ、６〜８段目をエリアＣと３つのエリアに区分するものとする。以下の説明において、各エリアを区別する場合は、末尾にＡ〜Ｃのいずれかを付し、各エリアを区別しない場合は、Ａ〜Ｃを省略する。
エリアの区分は本実施形態のように上下方向に段数で区分するだけでなく、側面に給気ダクト１４が設置されている場合は左右方向に列数で区分してもよい。またエリアの数は少なくとも２以上であればよく、各エリアの蓄電池モジュール２０の数は１以上であれば数は問わない。
各蓄電池モジュール２０には、それぞれファン２１が取り付けられている。ファン２１は、空気の流れＲの方向へ、つまり蓄電池モジュール２０の給気ダクト１４のスリット１５に面した吸気側（図２の後側）からファン２１の付いた排気側（図２の前側）方向へ空気を流し蓄電池モジュール２０を冷却する。各ファン２１により冷風を取り込み熱交換した空気を外部に排出することから、蓄電池モジュール２０から排出される空気の温度が上昇する。この温度が上昇した空気はコンテナ１０内中央付近へと集まり、排気口２３を介し、空調ユニット１３へ戻り再び冷却される。また、図６に示すように空調ユニット１３をコンテナ１０の外部に設置した場合、コンテナ１０上方に設置された排気口２３から還気ダクト１６を通じてコンテナ１０の外部の空調ユニット１３へ空気を排出する。さらに、外部の空調ユニット１３からコンテナ１０まで給気ダクト１４が繋がっており、コンテナ１０内へスリット１５から冷風を供給する。
本実施形態では、ファン２１は排気側に取り付けられているとしたが、吸気側で蓄電池モジュール２０内部へ冷風を取り込む向きに取り付けられるとしてもよい。
【００２０】
図３には、本実施形態にかかる蓄電システムおよび蓄電システムの温度制御方法の制御方式を示したブロック図が示されている。
本実施形態では、各蓄電池モジュール２０の内部にはそれぞれ温度検知手段２２が取り付けられており、各蓄電池モジュール２０毎の代表温度を検知することができる。各温度検知手段２２は蓄電池モジュール監視制御装置１２に接続し、蓄電池モジュール監視制御装置１２は各蓄電池モジュール２０の代表温度を監視し制御する。蓄電池モジュール監視制御装置１２は各エリアごとに設置され、各エリアごとに蓄電池モジュール２０の所定時間における平均温度を得ている。本実施形態では、蓄電池モジュール制御監視装置１２は、該蓄電池モジュール２０の所定時間における平均温度に基づき各エリアの温度を得るとする。
各蓄電池モジュール監視制御装置１２は、隣接して設置されたシステム監視制御装置１１に接続し、システム監視制御装置１１は各蓄電池モジュール監視制御装置１２を経由して各エリアの所定時間における平均温度を監視し制御する。
なお、温度検知手段２２の取り付け場所は蓄電池モジュール２０の内部に限らず、蓄電池モジュール２０の外部等でもよく、各々の蓄電池モジュール２０ごとの温度が検知でき、全ての蓄電池モジュール２０において取り付け場所が同じであれば場所は問わない。また取り付け場所により、検知する温度は代表温度に限らず、蓄電池モジュール２０の吸気温度や排気温度等としてもよい。
【００２１】
上記構成を有する蓄電システムおよび蓄電システムの温度制御方法の動作について説明する。
まず、蓄電池モジュール２０とコンテナ１０の温度変化について述べる。
蓄電池モジュール２０が充放電を行うと、蓄電池モジュール２０は発熱し、特に発熱反応と内部抵抗発熱が生じる放電時には発熱量が多くなる。コンテナ１０全体の温度が上昇することで、蓄電池モジュール２０の温度も上昇する。図示しないコンテナ温度検知部により検知されたコンテナ１０内の所定位置の温度が所定の温度に達すると蓄電池モジュール２０を冷却するため全てのファン２１が起動する。本実施形態では、全てのファン２１が起動する所定の温度は３５℃とする。これと並行して空調ユニット１３によりコンテナ１０全体の冷却も行われる。空調ユニット１３の冷風は給気ダクト１４のスリット１５から蓄電池モジュール２０へ供給される。
給気ダクト１４のスリット１５の近傍に設置されたエリアＡの各蓄電池モジュール２０は、自身のファン２１により冷風を取り込み熱交換した空気を外部に排出するため、早く冷却されかつ温度が下降しやすい。これに対し、エリアが給気ダクト１４のスリット１５から離れるに従い、すなわちエリアＡよりエリアＢ、エリアＢよりエリアＣは冷却に時間がかかりかつ温度が下降しにくい。これは、給気ダクト１４のスリット１５の近傍のエリアから順に冷風を取り込むため給気ダクト１４のスリット１５から離れたエリアの蓄電池モジュール２０は冷風を取り込む流量が減少して、蓄電池モジュール２０付近に漂う冷却されていない空気を取り込むことが多くなるためである。
また、蓄電池モジュール２０の充放電の停止などにより、図示しないコンテナ温度検知部により検知されたコンテナ１０内の所定位置の温度が所定の温度を下回ると全てのファン２１が停止する。本実施形態では、全てのファン２１が停止する所定の温度は３０℃とする。
【００２２】
連続して冷却されていない空気を取り込むと蓄電池の内部抵抗が上がり、これにより蓄電池モジュール２０の負荷が増大しさらに加熱し、そしてさらに内部抵抗が上がる。これを繰り返すと蓄電池モジュール２０の性能劣化が進む。冷却されるエリアの蓄電池モジュール２０と冷却されないエリアの蓄電池モジュール２０が存在すると、エリア間で蓄電池モジュール２０の寿命が大きく異なるようになり冷却されないエリアの蓄電池モジュール２０の蓄電容量が低下する、などという事象が発生する。これにより、蓄電システム全体の性能が低下することとなる。
このような問題点を改善するため、蓄電システムの温度制御を行う。
【００２３】
次に、温度制御の詳細について図４及び図５を参照して述べる。
図４（ａ）はエリアＡのファン２１が起動している場合の蓄電池モジュール群のエリアごとの温度分布の例を示す。
給気ダクト１４のスリット１５に近いエリアＡのファン２１が起動しているため、エリアＡの温度は１６℃であるのに対し、給気ダクト１４のスリット１５から離れたエリアＣの温度は２１℃と高い値を示す。すなわち、エリアＡの温度は、全エリアの最小値である。この最小値であるエリアＡの温度と最大値であるエリアＣの温度との温度差を低減するために行う制御を、図５（ａ）のフローチャートを用いて示す。
まず、エリアＡのファン２１が動作しており（Ｓ５１１）、次にエリアＡの温度が第１所定温度（本実施形態では３０℃）を下回るか否かを判定する（Ｓ５１２）。エリアＡの温度が第１所定温度を下回る場合は、エリアＡのファン２１を停止し（Ｓ５１５）、処理を終了する。
ステップＳ５１２において、エリアＡの温度が第１所定温度以上であると判定された場合は、エリアＢまたはエリアＣのファン２１が動作しているか否かを判定し（Ｓ５１３）、動作している場合は次にエリアＡの温度と全エリアの温度の最大値（本実施形態ではエリアＣの温度）との温度差Δｔが第１の設定温度差Ｔ１（本実施形態では５℃）を上回るか否かを判定し（Ｓ５１４）、上回っていればエリアＡのファン２１を停止し（Ｓ５１５）、処理を終了する。
このように給気ダクト１４のスリット１５に近いエリアＡのファン２１を他のエリアより優先して温度制御を行うことで、エリアＡの蓄電池モジュール２０内の温度は少し上昇することとなるが、エリアＡの温度が上昇しエリアＣの温度が下降することから、全エリアの温度差が許容しきい値以下となり、各蓄電池モジュール２０間の温度差が小さくなる。
【００２４】
図４（ｂ）はエリアＡのファン２１が停止している場合の蓄電池モジュール群のエリアごとの温度分布の例を示す。
給気ダクト１４のスリット１５に近いエリアＡのファン２１が停止しているため、エリアＡの温度は２０℃であるのに対し、給気ダクト１４のスリット１５から離れたエリアＣまで冷風が到達するためエリアＣの温度は１８℃と低い値を示す。すなわち、エリアＡの温度は、全エリアの最大値である。この最大値であるエリアＡの温度と最小値であるエリアＣの温度との温度差を低減するために行う制御を、図５（ｂ）のフローチャートを用いて示す。
まず、エリアＡのファン２１が停止しており（Ｓ５２１）、次にエリアＡの温度が第２所定温度（本実施形態では３５℃）を上回るか否かを判定する（Ｓ５２２）。エリアＡの温度が第２所定温度を上回る場合は、エリアＡのファン２１を起動し（Ｓ５２６）、処理を終了する。
ステップＳ５２２において、エリアＡの温度が第２所定温度以下であると判定された場合は、エリアＡの温度が第３所定温度（本実施形態では３０℃）を上回るか否かが判定される（Ｓ５２３）。上回る場合は、エリアＢまたはエリアＣのファン２１が動作しているか否かを判定し（Ｓ５２４）、動作している場合は次にエリアＡの温度と全エリアの温度の最小値（本実施形態ではエリアＣの温度）との温度差Δｔが第２の設定温度差Ｔ２（本実施形態では２℃）を下回るか否かを判定し（Ｓ５２５）、下回っていればエリアＡのファン２１を起動し（Ｓ５２６）、処理を終了する。
このように給気ダクト１４のスリット１５に近いエリアＡのファン２１を他のエリアより優先して温度制御を行うことで、エリアＡの温度が下降しエリアＣの温度が上昇することから、全エリアの温度差が許容しきい値以下となり、各蓄電池モジュール２０間の温度差が小さくなる。
【００２５】
本実施形態によれば、以下の作用効果を奏する。
本実施形態にかかる蓄電システムおよび蓄電システムの温度制御方法によれば、各エリアの所定時間における平均温度をもとにエリアごとに各ファン２１の起動または停止を制御することから、各エリア間で温度にむらが生じた場合にファン２１の起動または停止によりエリア間の温度差を低減することができる。これにより各蓄電池モジュール２０の温度差が低減することで各蓄電池モジュール２０の劣化を均等にでき、蓄電システム１の性能低下が抑制できる。
また、エリアごとにファン２１の起動または停止を行うことから、運転が必要なエリアに限定した効率の良い運転が可能である。
また、給気ダクト１４を例えばエリアごとに設置するなど複雑な設備の設置及びその管理を行うことなく簡便な構造で複雑な蓄電池モジュール２０の温度管理が可能となる。
また、各エリアの蓄電池モジュール２０の平均温度をもとに、エリアごとに各ファン２１の起動または停止を制御することから、エリアごとの温度傾向から温度を制御することができる。
【００２６】
また、給気ダクト１４のスリット１５の近傍のエリアの各ファン２１の起動または停止を制御することから、スリット１５の近傍エリアのファン２１の起動または停止という簡便な処理で、各エリア間で発生する温度差を低減することができる。これにより、各蓄電池モジュール２０の温度差が低減することから各蓄電池モジュール２０の劣化を均等にできる。
【００２７】
また、スリット１５の近傍のエリアの所定時間における平均温度が全エリアの所定時間における平均温度の最小値であるとともに、第１所定温度を下回る場合、もしくは、第１所定温度以上でかつ全エリアの所定時間における平均温度の最大値を第１の設定温度差以上下回る場合、前記スリット１５の近傍のエリアのファン２１を停止させることから、最も温度が低いスリット１５の近傍のエリアの冷却が一時中断され、より温度が高いエリアへ冷風が供給され、温度のむらを低減できる。
さらに、前記スリット１５の近傍のエリアの所定時間における平均温度が全エリアの所定時間における平均温度の最大値であるとともに、第２所定温度を上回る場合、もしくは、第２所定温度以下でかつ第３所定温度を上回りかつ全エリアの温度の最小値との温度差が第２の設定温度差より小さい場合、前記スリット１５の近傍のエリアのファン２１を起動させることから、ファン２１が停止して冷却されず最も温度が高い状態のスリット１５の近傍のエリアを冷却し、温度のむらを低減できる。
【００２８】
以上、本発明の実施形態について図面を参照して詳述してきたが、具体的な構成はこの実施形態に限られるものではなく、本発明の要旨を逸脱しない範囲の設計変更なども含まれる。
上述の実施形態では、蓄電池モジュール制御監視装置１２は、各エリアごとの各蓄電池モジュール２０の平均温度に基づき各エリアの温度を得るとしたが、エリアごとの蓄電池モジュール２０の温度のうち最高温度及び最低温度に基づき各エリアの温度を得ることとしてもよい。
各エリアの蓄電池モジュール２０の最高温度及び最低温度をもとに、エリアごとに各ファン２１の起動または停止を制御することで、蓄電池モジュール２０の温度変化に即応した温度の制御を行うことができる。また、例えば特定の蓄電池モジュール２０の過度な発熱を検知することができ、該当する蓄電池モジュール２０が含まれるエリアのファン２１を制御できる。
【００２９】
なお、蓄電池モジュール２０の蓄電池は、リチウム蓄電池の他に、鉛蓄電池、ニッケル水素蓄電池など特に限定されないが、充放電の追従性がよいことからリチウム蓄電池であることが好ましい。
【符号の説明】
【００３０】
１  蓄電システム
１０  閉空間（コンテナ）
１１  システム監視制御装置
１２  蓄電池モジュール監視制御装置
１３  空調ユニット（冷却装置）
１４  給気ダクト
１５  スリット（吹き出し口）
１６  還気ダクト
２０  蓄電池モジュール
２１  ファン
２２  温度検知手段
２３  排気口
【図１】
2014203536.tif 000003
【図２】
2014203536.tif 000004
【図３】
2014203536.tif 000005
【図４】
2014203536.tif 000006
【図５】
2014203536.tif 000007
【図６】
2014203536.tif 000008